(57)【要約】【課題】画面揺れ及びちらつき等を解消することができる受信機及び信号伝送システムを提供する。【解決手段】受信装置２０は、ＲＧＢの画像信号、垂直同期信号及び水平同期信号を送信すると共に一対の信号線上で差動信号を送受信する送信装置１０と接続可能であり、当該一対の信号線間の受信装置２０側の中点の電位が当該一対の信号線間の送信装置１０側の中点の電位と同一になるように、当該受信装置側の中点の電位を調整する調整回路２３３と、当該一対の信号線上に流れる差動信号の立ち上がり及び立ち下がりの速度を制御する制御回路２３２と、水平同期信号に生じる垂直同期信号によるクロストークを垂直同期信号を入力することによりキャンセルするキャンセル回路２５とを備えている。【選択図】図５
2010062949.tif 000002
【特許請求の範囲】
【請求項１】
複数の画像信号、垂直同期信号及び水平同期信号を送信すると共に一対の信号線上で差動信号を送受信する送信機と接続可能な受信機であって、
前記一対の信号線間の受信機側の中点の電位が当該一対の信号線間の送信機側の中点の電位と同一になるように、当該受信機側の中点の電位を調整する調整回路と、
当該一対の信号線上に流れる差動信号の立ち上がり及び立ち下がりの速度を制御する制御回路と、
前記水平同期信号に生じる前記垂直同期信号によるクロストークを前記垂直同期信号を入力することによりキャンセルするキャンセル回路とを備えていることを特徴とする受信機。
【請求項２】
前記複数の画像信号の１つに多重化された水平同期信号を当該少なくとも１つの画像信号から分離する第１同期信号分離回路と、
前記複数の画像信号の他の１つに多重化された垂直同期信号を当該画像信号から分離する第２同期信号分離回路とをさらに備え、
前記垂直同期信号は、前記水平同期信号と電位の極性が異なり、
前記キャンセル回路は、前記第１同期信号分離回路の２つの入力端子間に直列に接続される２つの抵抗で構成されており、前記第２同期信号分離回路の出力端子が前記２つの抵抗の間に信号線を介して接続されていることを特徴とする請求項１に記載の受信機。
【請求項３】
前記複数の画像信号を検出する複数の検出回路を備え、前記複数の検出回路と前記第１同期信号分離回路及び前記第２同期信号分離回路を接続する複数の信号線に複数のダイオードが設けられていることを特徴とする請求項２に記載の受信機。
【請求項４】
前記複数の画像信号の２つに多重化された２つの水平同期信号がそれぞれ差動信号として流れる第１及び第２の信号線群と、
前記複数の画像信号の他の１つに多重化された垂直同期信号が差動信号として流れる第３の信号線群とを備え、
前記垂直同期信号は、前記水平同期信号と電位の極性が異なり、
前記キャンセル回路は、前記第１の信号線群間に設けられた第１終端抵抗の中点と前記第２の信号線群間に設けられた第２終端抵抗の中点との間を接続する複数の抵抗を備え、前記複数の抵抗のうち１つは、抵抗値の調整が可能なように前記第３の信号線群間に設けられた第３終端抵抗の中点と接続されていることを特徴とする請求項１に記載の受信機。
【請求項５】
前記第１の信号線群間に設けられた第１終端抵抗の中点の電位と前記第２の信号線群間に設けられた第２終端抵抗の中点の電位差を検出する検出手段と、前記検出手段で検出された電位差がゼロになるように、前記第３終端抵抗の中点に接続される抵抗の抵抗値を自動調整する調整手段とを備えていることを特徴とする請求項４に記載の受信機。
【請求項６】
前記第１終端抵抗、前記第２終端抵抗及び前記第３終端抵抗の中点には、それぞれダイオードが接続されていることを特徴とする請求項４又は５に記載の受信機。
【請求項７】
複数の画像信号、垂直同期信号及び水平同期信号を送信すると共に一対の信号線上で差動信号を送受信する送信機と、前記複数の画像信号、前記垂直同期信号及び前記水平同期信号を受信すると共に一対の信号線上で差動信号を送受信する受信機とを有する信号伝送システムであって、
前記送信機は、
前記一対の信号線間の受信機側の中点の電位が当該一対の信号線間の送信機側の中点の電位と同一になるように、当該送信機側の中点の電位を調整する第１調整回路と、
当該一対の信号線上に流れる差動信号の立ち上がり及び立ち下がりの速度を制御する第１制御回路とを備え、
前記受信機は、
前記一対の信号線間の受信機側の中点の電位が当該一対の信号線間の送信機側の中点の電位と同一になるように、当該受信機側の中点の電位を調整する第２調整回路と、
当該一対の信号線上に流れる差動信号の立ち上がり及び立ち下がりの速度を制御する第２制御回路と、
前記水平同期信号に生じる前記垂直同期信号によるクロストークを前記垂直同期信号を入力することによりキャンセルするキャンセル回路とを備えていることを特徴とする信号伝送システム。
【請求項８】
前記受信機は、
前記複数の画像信号の１つに多重化された水平同期信号を当該少なくとも１つの画像信号から分離する第１同期信号分離回路と、
前記複数の画像信号の他の１つに多重化された垂直同期信号を当該画像信号から分離する第２同期信号分離回路とをさらに備え、
前記垂直同期信号は、前記水平同期信号と電位の極性が異なり、
前記キャンセル回路は、前記第１同期信号分離回路の２つの入力端子間に直列に接続される２つの抵抗で構成されており、前記第２同期信号分離回路の出力端子が前記２つの抵抗の間に信号線を介して接続されていることを特徴とする請求項７に記載の信号伝送システム。
【請求項９】
前記受信機は、前記複数の画像信号を検出する複数の検出回路を備え、前記複数の検出回路と前記第１同期信号分離回路及び前記第２同期信号分離回路を接続する複数の信号線に複数のダイオードが設けられていることを特徴とする請求項８に記載の信号伝送システム。
【請求項１０】
前記受信機は、
前記複数の画像信号の２つに多重化された２つの水平同期信号がそれぞれ差動信号として流れる第１及び第２の信号線群と、
前記複数の画像信号の他の１つに多重化された垂直同期信号が差動信号として流れる第３の信号線群とを備え、
前記垂直同期信号は、前記水平同期信号と電位の極性が異なり、
前記キャンセル回路は、前記第１の信号線群間に設けられた第１終端抵抗の中点と前記第２の信号線群間に設けられた第２終端抵抗の中点との間を接続する複数の抵抗を備え、前記複数の抵抗のうち１つは、抵抗値の調整が可能なように前記第３の信号線群間に設けられた第３終端抵抗の中点と接続されていることを特徴とする請求項７に記載の信号伝送システム。
【請求項１１】
前記受信機は、前記第１の信号線群間に設けられた第１終端抵抗の中点の電位と前記第２の信号線群間に設けられた第２終端抵抗の中点の電位差を検出する検出手段と、前記検出手段で検出された電位差がゼロになるように、前記第３終端抵抗の中点に接続される抵抗の抵抗値を自動調整する調整手段とを備えていることを特徴とする請求項１０に記載の信号伝送システム。
【請求項１２】
前記第１終端抵抗、前記第２終端抵抗及び前記第３終端抵抗の中点には、それぞれダイオードが接続されていることを特徴とする請求項１０又は１１に記載の信号伝送システム。
【発明の詳細な説明】
【技術分野】
【０００１】
本発明は、長距離（例えば数百メートル）で画像信号の送信が可能な受信機及び信号伝送システムに関する。
【背景技術】
【０００２】
従来より、コンピュータから出力されるアナログ画像信号（即ち、ＲＧＢ信号）及びキーボードやマウスの操作に対するレスポンス信号をCat5（category 5）ケーブル等で遠隔地に送信するローカルユニットと、キーボードやマウスの操作信号をローカルユニットに送信すると共に上記アナログ画像信号及びレスポンス信号を受信するリモートユニットとを有する信号伝送システムが知られている。
【特許文献１】特開２００４−３５６９３９号公報
【発明の開示】
【発明が解決しようとする課題】
【０００３】
しかしながら、上記信号伝送システムでは、キーボードやマウスの操作信号及びレスポンス信号の信号線で完全な平衡伝送ができずに、ＥＭＩノイズが発生する。このＥＭＩノイズが、いわゆるクロストークとしてアナログ画像信号に影響し、遠隔地のモニタの画面に揺れやちらつきを生じさせる。
【０００４】
本発明の目的は、画面揺れ及びちらつき等を解消することができる受信機及び信号伝送システムを提供することにある。
【課題を解決するための手段】
【０００５】
上記目的を達成するため、本発明の受信機は、複数の画像信号、垂直同期信号及び水平同期信号を送信すると共に一対の信号線上で差動信号を送受信する送信機と接続可能な受信機であって、前記一対の信号線間の受信機側の中点の電位が当該一対の信号線間の送信機側の中点の電位と同一になるように、当該受信機側の中点の電位を調整する調整回路と、当該一対の信号線上に流れる差動信号の立ち上がり及び立ち下がりの速度を制御する制御回路と、前記水平同期信号に生じる前記垂直同期信号によるクロストークを前記垂直同期信号を入力することによりキャンセルするキャンセル回路とを備えていることを特徴とする。
【０００６】
かかる構成によれば、調整回路及び制御回路が画像信号の通信に影響を与えるＥＭＩノイズの発生を抑制し、キャンセル回路が残ったＥＭＩノイズにより水平同期信号に生じる垂直同期信号によるクロストークをキャンセルするので、画面内の画像の揺れ及びちらつき等を解消することができる。
【０００７】
請求項２の受信機は、請求項１に記載の受信機において、前記複数の画像信号の１つに多重化された水平同期信号を当該少なくとも１つの画像信号から分離する第１同期信号分離回路と、前記複数の画像信号の他の１つに多重化された垂直同期信号を当該画像信号から分離する第２同期信号分離回路とをさらに備え、前記垂直同期信号は、前記水平同期信号と電位の極性が異なり、前記キャンセル回路は、前記第１同期信号分離回路の２つの入力端子間に直列に接続される２つの抵抗で構成されており、前記第２同期信号分離回路の出力端子が前記２つの抵抗の間に信号線を介して接続されていることを特徴とする。
【０００８】
かかる構成によれば、第２同期信号分離回路で分離された垂直同期信号が、２つの抵抗の間に入力され、水平同期信号に生じる垂直同期信号によるクロストークを打ち消すことができる。
【０００９】
請求項３の受信機は、請求項２に記載の受信機において、前記複数の画像信号を検出する複数の検出回路を備え、前記複数の検出回路と前記第１同期信号分離回路及び前記第２同期信号分離回路を接続する複数の信号線に複数のダイオードが設けられていることを特徴とする。
【００１０】
かかる構成によれば、外部環境から画像信号に多重化されるインパルスノイズを除去することができる。
【００１１】
請求項４の受信機は、請求項１に記載の受信機において、前記複数の画像信号の２つに多重化された２つの水平同期信号がそれぞれ差動信号として流れる第１及び第２の信号線群と、前記複数の画像信号の他の１つに多重化された垂直同期信号が差動信号として流れる第３の信号線群とを備え、前記垂直同期信号は、前記水平同期信号と電位の極性が異なり、前記キャンセル回路は、前記第１の信号線群間に設けられた第１終端抵抗の中点と前記第２の信号線群間に設けられた第２終端抵抗の中点との間を接続する複数の抵抗を備え、前記複数の抵抗のうち１つは、抵抗値の調整が可能なように前記第３の信号線群間に設けられた第３終端抵抗の中点と接続されていることを特徴とする。
【００１２】
かかる構成によれば、キャンセル回路が、複数の画像信号の２つに多重化された水平同期信号のコモンモード信号のレベルを揃え、同時に水平同期信号に混入されている垂直同期信号のクロストークを打ち消すことができる。よって、画面内の画像の揺れ及びちらつき等を解消することができる。
【００１３】
請求項５の受信機は、請求項４に記載の受信機において、前記第１の信号線群間に設けられた第１終端抵抗の中点の電位と前記第２の信号線群間に設けられた第２終端抵抗の中点の電位差を検出する検出手段と、前記検出手段で検出された電位差がゼロになるように、前記第３終端抵抗の中点に接続される抵抗の抵抗値を自動調整する調整手段とを備えていることを特徴とする。
【００１４】
かかる構成によれば、複数の画像信号の２つに多重化された水平同期信号のコモンモード信号のレベルを自動的に揃え、同時に水平同期信号に混入されている垂直同期信号のクロストークを自動的に打ち消すことができる。
【００１５】
請求項６の受信機は、請求項４又は５に記載の受信機において、前記第１終端抵抗、前記第２終端抵抗及び前記第３終端抵抗の中点には、それぞれダイオードが接続されていることを特徴とする。
【００１６】
かかる構成によれば、外部環境から画像信号に多重化されるインパルスノイズを除去することができる。
【００１７】
請求項７の信号伝送システムは、複数の画像信号、垂直同期信号及び水平同期信号を送信すると共に一対の信号線上で差動信号を送受信する送信機と、前記複数の画像信号、前記垂直同期信号及び前記水平同期信号を受信すると共に一対の信号線上で差動信号を送受信する受信機とを有する信号伝送システムであって、前記送信機は、前記一対の信号線間の受信機側の中点の電位が当該一対の信号線間の送信機側の中点の電位と同一になるように、当該送信機側の中点の電位を調整する第１調整回路と、当該一対の信号線上に流れる差動信号の立ち上がり及び立ち下がりの速度を制御する第１制御回路とを備え、前記受信機は、前記一対の信号線間の受信機側の中点の電位が当該一対の信号線間の送信機側の中点の電位と同一になるように、当該受信機側の中点の電位を調整する第２調整回路と、当該一対の信号線上に流れる差動信号の立ち上がり及び立ち下がりの速度を制御する第２制御回路と、前記水平同期信号に生じる前記垂直同期信号によるクロストークを前記垂直同期信号を入力することによりキャンセルするキャンセル回路とを備えていることを特徴とする。
【００１８】
かかる構成によれば、調整回路及び制御回路が画像信号の通信に影響を与えるＥＭＩノイズの発生を抑制し、キャンセル回路が残ったＥＭＩノイズにより水平同期信号に生じる垂直同期信号によるクロストークをキャンセルするので、画面内の画像の揺れ及びちらつき等を解消することができる。
【００１９】
請求項８の信号伝送システムは、請求項７に記載の信号伝送システムにおいて、前記受信機は、前記複数の画像信号の１つに多重化された水平同期信号を当該少なくとも１つの画像信号から分離する第１同期信号分離回路と、前記複数の画像信号の他の１つに多重化された垂直同期信号を当該画像信号から分離する第２同期信号分離回路とをさらに備え、前記垂直同期信号は、前記水平同期信号と電位の極性が異なり、前記キャンセル回路は、前記第１同期信号分離回路の２つの入力端子間に直列に接続される２つの抵抗で構成されており、前記第２同期信号分離回路の出力端子が前記２つの抵抗の間に信号線を介して接続されていることを特徴とする。
【００２０】
かかる構成によれば、第２同期信号分離回路で分離された垂直同期信号が、２つの抵抗の間に入力され、水平同期信号に生じる垂直同期信号によるクロストークを打ち消すことができる。
【００２１】
請求項９の信号伝送システムは、請求項８に記載の信号伝送システムにおいて、前記受信機は、前記複数の画像信号を検出する複数の検出回路を備え、前記複数の検出回路と前記第１同期信号分離回路及び前記第２同期信号分離回路を接続する複数の信号線に複数のダイオードが設けられていることを特徴とする。
【００２２】
かかる構成によれば、外部環境から画像信号に多重化されるインパルスノイズを除去することができる。
【００２３】
請求項１０の信号伝送システムは、請求項７に記載の信号伝送システムにおいて、前記受信機は、前記複数の画像信号の２つに多重化された２つの水平同期信号がそれぞれ差動信号として流れる第１及び第２の信号線群と、前記複数の画像信号の他の１つに多重化された垂直同期信号が差動信号として流れる第３の信号線群とを備え、前記垂直同期信号は、前記水平同期信号と電位の極性が異なり、前記キャンセル回路は、前記第１の信号線群間に設けられた第１終端抵抗の中点と前記第２の信号線群間に設けられた第２終端抵抗の中点との間を接続する複数の抵抗を備え、前記複数の抵抗のうち１つは、抵抗値の調整が可能なように前記第３の信号線群間に設けられた第３終端抵抗の中点と接続されていることを特徴とする。
【００２４】
かかる構成によれば、キャンセル回路が、複数の画像信号の２つに多重化された水平同期信号のコモンモード信号のレベルを揃え、同時に水平同期信号に混入されている垂直同期信号のクロストークを打ち消すことができる。よって、画面内の画像の揺れ及びちらつき等を解消することができる。
【００２５】
請求項１１の信号伝送システムは、請求項１０に記載の信号伝送システムにおいて、前記受信機は、前記第１の信号線群間に設けられた第１終端抵抗の中点の電位と前記第２の信号線群間に設けられた第２終端抵抗の中点の電位差を検出する検出手段と、前記検出手段で検出された電位差がゼロになるように、前記第３終端抵抗の中点に接続される抵抗の抵抗値を自動調整する調整手段とを備えていることを特徴とする。
【００２６】
かかる構成によれば、複数の画像信号の２つに多重化された水平同期信号のコモンモード信号のレベルを自動的に揃え、同時に水平同期信号に混入されている垂直同期信号のクロストークを自動的に打ち消すことができる。
【００２７】
請求項１２の信号伝送システムは、請求項１０又は１１に記載の信号伝送システムにおいて、前記第１終端抵抗、前記第２終端抵抗及び前記第３終端抵抗の中点には、それぞれダイオードが接続されていることを特徴とする。
【００２８】
かかる構成によれば、外部環境から画像信号に多重化されるインパルスノイズを除去することができる。
【発明の効果】
【００２９】
本発明によれば、画面内の画像の揺れ及びちらつき等を解消することができる。
【発明を実施するための最良の形態】
【００３０】
以下、図面を参照しながら本発明の実施の形態を説明する。
【００３１】
図１は、本発明の実施の形態に係る信号伝送システムの構成を示すブロック図である。
【００３２】
図１に示すように、信号伝送システムでは、サーバ３０とディスプレイ４０及びキーボードやマウス等（以下、キーボード／マウスという）５０との間に、送信装置１０と受信装置２０とが設けられている。
【００３３】
送信装置１０と受信装置２０とは、ＬＡＮケーブル１００を介して互いに接続されている。送信装置１０及び受信装置２０には、それぞれ専用インタフェース（以下、インタフェースをＩ／Ｆと略す）１０Ａ及び２０Ａが組み込まれている。専用Ｉ／Ｆ１０Ａ及び専用Ｉ／Ｆ２０Ａは、送信装置１０及び受信装置２０を一対一の関係で接続する。また、この専用Ｉ／Ｆ１０Ａは、３つの画像信号（ＲＧＢ：以下、何れでもよい場合は単に画像信号という），水平同期信号（Hsync），垂直同期信号（Vsync）（以下、何れでも良い場合は単に同期信号という）を専用Ｉ／Ｆ２０Ａに送信すると共にキーボード／マウス５０から入力された信号（これを操作信号という）を専用Ｉ／Ｆ２０Ａから受信する。専用Ｉ／Ｆ２０Ａは、画像信号及び同期信号を専用Ｉ／Ｆ１０Ａから受信すると共に操作信号を専用Ｉ／Ｆ１０Ａに送信する。
【００３４】
ＬＡＮケーブル１００は、例えばＣａｔ５Ｅストレートケーブルであり、４対（計８本）の信号線を含む。各画像信号は、それぞれ差動信号として送信装置１０から受信装置２０へ送信されるため、画像信号毎に１対の信号線を占有する。従って、３つの画像信号、即ちＲＧＢ信号で３対の信号線を占有する。残りの１対の信号線は、キーボード／マウス５０から入力された操作信号を受信装置２０から送信装置１０へ送信するために使用されると共にサーバ３０から出力される信号を送信装置１０から受信装置２０へ送信するために使用される。尚、後述するように、水平同期信号はＧ信号に多重化され、垂直同期信号はＢ信号に多重化されるので、水平同期信号及び垂直同期信号がそれぞれ独立して信号線を占有することはない。
【００３５】
送信装置１０は、パーソナルコンピュータ、又はワークステーション等で構成されたサーバ３０から画像信号（ＲＧＢ），水平同期信号及び垂直同期信号を入力するためのディスプレイコネクタとしてＶＧＡ（Ｖｉｄｅｏ  Ｇｒａｐｈｉｃｓ  Ａｒｒａｙ）コネクタ１０Ｂを有する。このＶＧＡコネクタ１０Ｂには、例えばＢＮＣコネクタやＤ−ｓｕｂ１５ｐｉｎコネクタ等の一般的なコネクタを使用することができる。
【００３６】
また、送信装置１０は、受信装置２０を介して入力したキーボード／マウス５０の操作信号をサーバ３０へ入力するためのコネクタ１０Ｃを有する。
【００３７】
尚、サーバ３０には、一般的な情報処理装置と同様に、画像信号（ＲＧＢ）を出力するためのＶＧＡコネクタ３０Ａと、キーボードやマウスから操作信号を入力するためのコネクタ３０Ｂとが設けられている。従って、送信装置１０に設けられたＶＧＡコネクタ１０Ｂは、例えばＢＮＣケーブルやＤ−ｓｕｂ１５ｐｉｎケーブル等を用いて構成したＲＧＢケーブル２００Ａを介して、サーバ３０に設けられているＶＧＡコネクタ３０Ａに接続される。また、送信装置１０に設けられたコネクタ１０Ｃは、一般的なキーボード及びマウスの接続に使用されるケーブル３００Ａを介して、サーバ３０に設けられているコネクタ３０Ｂに接続される。コネクタ１０Ｃ及びコネクタ３０Ｂは、ＵＳＢ（Ｕｎｉｖｅｒｓａｌ  Ｓｅｒｉａｌ  Ｂｕｓ）又はＰＳ／２等用のコネクタで構成されており、ケーブル３００Ａは、ＵＳＢ（Ｕｎｉｖｅｒｓａｌ  Ｓｅｒｉａｌ  Ｂｕｓ）又はＰＳ／２等用のケーブルで構成されている。
【００３８】
受信装置２０は、ディスプレイ４０へ画像信号（ＲＧＢ），水平同期信号及び垂直同期信号を出力するためのディスプレイコネクタとしてＶＧＡ（Ｖｉｄｅｏ  Ｇｒａｐｈｉｃｓ  Ａｒｒａｙ）コネクタ２０Ｂを有する。このＶＧＡコネクタ２０Ｂには、例えばＢＮＣコネクタやＤ−ｓｕｂ１５ｐｉｎコネクタ等の一般的なコネクタを使用することができる。ＶＧＡコネクタ２０Ｂには、ディスプレイ４０に設けられたＲＧＢケーブル２００Ｂが接続される。ＲＧＢケーブル２００Ｂは、例えばＢＮＣケーブルやＤ−ｓｕｂ１５ｐｉｎケーブル等で構成されている。      
【００３９】
また、受信装置２０は、キーボード／マウス５０から操作信号を入力するためのコネクタ２０Ｃを有する。コネクタ２０Ｃには、キーボード／マウス５０に設けられたケーブル３００Ｂが接続される。コネクタ２０Ｃは、ＵＳＢ（Ｕｎｉｖｅｒｓａｌ  Ｓｅｒｉａｌ  Ｂｕｓ）又はＰＳ／２等用のコネクタで構成されており、ケーブル３００Ｂは、ＵＳＢ（Ｕｎｉｖｅｒｓａｌ  Ｓｅｒｉａｌ  Ｂｕｓ）又はＰＳ／２等用のケーブルで構成されている。
【００４０】
次に、送信装置１０及び受信装置２０の内部構成について図面を用いて詳細に説明する。尚、以下の説明では、Ｒ，Ｇ，Ｂの画像信号のうち画像信号（Ｇ）に水平同期信号を多重化し、画像信号（Ｂ）に垂直同期信号を多重化する場合を例に挙げて説明する。
【００４１】
図２は、送信装置１０の内部構成を示すブロック図である。図２に示すように、送信装置１０は、ＶＧＡコネクタ１０Ｂから入力された画像信号（ＲＧＢ）のうち、画像信号（Ｇ）に水平同期信号を多重化し、画像信号（Ｂ）に垂直同期信号を多重化するための多重化回路１１ａ，１１ｂとシリアル通信用ドライバ１２とを有する。
【００４２】
多重化回路１１ａは、画像信号（ＲＧＢ）のうち画像信号（Ｇ）及び水平同期信号を入力し、画像信号（Ｇ）に水平同期信号を多重化し、多重化信号を受信装置２０に出力する。同様に、多重化回路１１ｂは、画像信号（ＲＧＢ）のうち画像信号（Ｂ）及び垂直同期信号を入力し、画像信号（Ｂ）に垂直同期信号を多重化し、多重化信号を受信装置２０に出力する。尚、一般的な画像信号（ＲＧＢ）の電圧レベルは高くとも１Ｖ程度であり、一般的な同期信号の電圧レベルは内部電圧レベルと同等な５Ｖ程度である。シリアル通信用ドライバ１２は、ＲＳ−４８５のシリアル通信用ドライバで構成されており、受信装置２０から受信した操作信号をサーバ３０に出力すると共にサーバ３０からの信号を受信装置２０へ送信する。
【００４３】
図３は、受信装置２０の内部構成を示すブロック図である。
【００４４】
受信装置２０は、画像信号検出回路２１ａ〜２１ｃ（検出回路）、同期信号分離回路２２ａ，２２ｂ及びシリアル通信用ドライバ２３を備えている。同期信号分離回路２２ａは、第１同期信号分離回路に相当し、同期信号分離回路２２ｂは第２同期信号分離回路に相当する。
【００４５】
画像信号検出回路２１ａ〜２１ｃは、専用Ｉ／Ｆ２０Ａで受信された複数の信号から画像信号（Ｒ）、画像信号（Ｇ）及び画像信号（Ｂ）をそれぞれ検出する。同期信号分離回路２２ｂは、画像信号検出回路２１ａから出力されるコモンモード信号に基づいて、画像信号検出回路２１ｃから出力されるコモンモード信号から垂直同期信号を分離する。同期信号分離回路２２ａは、画像信号検出回路２１ａから出力されるコモンモード信号及び垂直同期信号に基づいて、画像信号検出回路２１ｂから出力されるコモンモード信号から垂直同期信号によるクロストークの影響を除いた水平同期信号を分離する。
【００４６】
シリアル通信用ドライバ２３は、ＲＳ−４８５のシリアル通信用ドライバで構成されており、マウス／ドライバ５０から受信した操作信号を送信装置１０に出力すると共に送信装置１０からの信号を不図示のＵＳＢ機器に送信する。
【００４７】
図４は、シリアル通信用ドライバ１２とシリアル通信用ドライバ２３との接続状態を示す図である。
【００４８】
シリアル通信用ドライバ１２及びシリアル通信用ドライバ２３は、１対の信号線６１，６２を介して双方向通信を行うが、この通信は完全な平衡伝送ではないため、ＥＭＩノイズを発生する。このＥＭＩノイズが、いわゆるクロストークとして水平同期信号に影響を与え、遠隔地のディスプレイ４０の画面に揺れやちらつきを生じさせる。
【００４９】
本実施の形態では、１対の信号線間の中点Ａ，Ｂの電位が約２．５Ｖに調整され、シリアル通信用ドライバ１２及びシリアル通信用ドライバ２３の間で行われる双方向通信を平衡伝送にする。シリアル通信用ドライバ１２及びシリアル通信用ドライバ２３の間で双方向通信される信号は、ピークtoピークで１Ｖであり、その信号の基準電圧（振幅の中心電圧）を約２．５Ｖ（電源電圧Ｖｃｃの約半分の電圧値）に設定することで、交流的な平衡伝送を行う。
【００５０】
図４に示すように、シリアル通信用ドライバ１２及びとシリアル通信用ドライバ２３の間には、終端抵抗１２１，２３１と、信号線６１，６２上に流れる信号パルスの立ち上がり及び立ち下がりがゆるやかになるように信号パルスの立ち上がり及び立ち下がりの速度を制御する制御回路１２２，２３２と、信号線６１，６２上に流れる信号パルスの動作点（すなわち、基準電圧）を約２．５Ｖに調整する調整回路１２３、２３３とが設けられている。
【００５１】
調整回路１２３、２３３が１対の信号線間の中点の電位を適切な値（即ち、約２．５Ｖ）に調整したことで、ＥＭＩノイズが減少する。また、制御回路１２２，２３２が、信号線６１，６２上に流れる信号パルスの立ち上がり及び立ち下がりの速度を適切に遅くするので、シリアル通信用ドライバ１２及びシリアル通信用ドライバ２３から高調波が放射されにくくなり、ＥＭＩノイズが減少する。
【００５２】
図５は、シリアル通信用ドライバ２３を除いた受信装置２０の詳細なハードウエア構成を示す図である。
【００５３】
図５に示すように、画像信号検出回路２１ａ〜２１ｃの入力側には終端抵抗回路２４ａ〜２４ｃがそれぞれ設けられている。各終端抵抗回路２４ａ〜２４ｃは、３対の信号線２７ａ〜２７ｃの間にそれぞれ接続されており、２つの５０Ωの抵抗で構成されている。２つの５０Ωの抵抗の中点は、接地されている。画像信号検出回路２１ａ〜２１ｃは、それぞれＲ信号、Ｇ信号、Ｂ信号を出力すると共にコモンモード信号を出力する。
【００５４】
同期信号分離回路２２ａの入力側には、垂直同期信号によるクロストークをキャンセルするキャンセル回路２５が設けられている。キャンセル回路２５は、抵抗Ｒａと抵抗Ｒｂで構成されており、抵抗Ｒａと抵抗Ｒｂとの間の点Ｐが同期信号分離回路２２ｂの出力側と接続されている。抵抗Ｒａ及び抵抗Ｒｂの抵抗値の比は、好ましくは１：３である。
【００５５】
上述したように、シリアル通信用ドライバ１２とシリアル通信用ドライバ２３との間の双方向通信により発生するＥＭＩノイズは、制御回路１２２，２３２及び調整回路１２３、２３３により低減するが、残ったＥＭＩノイズがクロストークとして水平同期信号及び垂直同期信号を変動させる。
【００５６】
ここで、水平同期信号の出力波形の拡大例を図６（Ａ）に示し、垂直同期信号の出力波形の拡大例を図６（Ｂ）に示し、水平同期信号の出力波形の縮小例を図６（Ｃ）に示す。なお、図６（Ａ），（Ｂ）に示すように、水平同期信号の極性がプラスであるときに垂直同期信号の極性はマイナスになっている、即ち、水平同期信号は、垂直同期信号と逆電位の出力波形である。
【００５７】
図６（Ｃ）では、ＥＭＩノイズにより、垂直同期信号が出力されているときに水平同期信号の出力波形が通常状態よりも１４０ｍＶ持ち上げられている。これにより、ディスプレイ４０の画面では、画像の揺れ及びちらつきなどが発生する。
【００５８】
そこで、本実施の形態では、同期信号分離回路２２ｂの出力点Ｍを抵抗Ｒａ及び抵抗Ｒｂの間の点Ｐに接続し、水平同期信号と極性が反対である垂直同期信号をキャンセル回路２５に入力することで、水平同期信号の出力に影響を与える垂直同期信号によるクロストークを打ち消す。垂直同期信号によるクロストークが打ち消された後の水平同期信号の出力波形の縮小例を図６（Ｄ）に示す。
【００５９】
画像信号を入力する３対の信号線２７ａ〜２７ｃは、図１のＬＡＮケーブル１００に含まれている。この３対の信号線２７ａ〜２７ｃに流れる画像信号には、外部環境によってノイズであるインパルスが含まれる場合がある。このインパルスは垂直同期信号及び水平同期信号に悪影響を与え、ディスプレイ４０に表示される画像が黒１色になるブラックアウトを引き起こす。
【００６０】
このブラックアウトを回避するため、図５に示すように、画像信号検出回路２１ａ〜２１ｃのコモンモード信号の出力経路に、ツェナーダイオード２６ａ〜２６ｃが設けられている。このツェナーダイオード２６ａ〜２６ｃは、画像信号検出回路２１ａ〜２１ｃから出力されるコモンモード信号に付加されているノイズ（即ち、インパルス）を除去する。
【００６１】
図７は、シリアル通信用ドライバ２３を除いた受信装置２０の詳細なハードウエア構成の第１変形例を示す図である。
【００６２】
この場合、画像信号（Ｒ）及び画像信号（Ｂ）に水平同期信号が多重化されており、画像信号（Ｇ）に垂直同期信号が多重化されているものとする。
【００６３】
図７に示すように、受信装置２０は、画像信号検出＆同期信号分離回路３０７を備えている。この画像信号検出＆同期信号分離回路３０７は、図３の画像信号検出回路２１ａ〜２１ｃ及び同期信号分離回路２２ａ，２２ｂを１チップで内蔵している。従って、画像信号検出＆同期信号分離回路３０７は、図３の画像信号検出回路２１ａ〜２１ｃ及び同期信号分離回路２２ａ，２２ｂと同一の機能を有する。さらに、画像信号検出＆同期信号分離回路３０７は、画像信号及び同期信号のゲインやイコライザの自動補正機能を有する。
【００６４】
また、画像信号検出＆同期信号分離回路３０７の入力側には、３対の信号線（３０１ａ，３０１ｂ，３０２ａ，３０２ｂ，３０３ａ，３０３ｂ）が接続されており、信号線３０１ａと信号線３０１ｂとの間には終端抵抗３０４が設けられている。信号線３０２ａと信号線３０２ｂとの間には終端抵抗３０５が設けられており、信号線３０３ａと信号線３０３ｂとの間には終端抵抗３０６が設けられている。信号線３０１ａ，３０１ｂは、第１の信号線群に相当し、信号線３０３ａ，３０３ｂは、第２の信号船群に相当し、信号線３０２ａ，３０２ｂは第３の信号線群に相当する。
【００６５】
信号線３０１ａと信号線３０１ｂとの間の点Ｒ１には、抵抗Ｒｒ及びコンデンサ３０８の一端が接続されており、抵抗Ｒｒ及びコンデンサ３０８の他端は接地されている。抵抗Ｒｒ及びコンデンサ３０８の一端と点Ｒ１との間に、ノイズ（外部から画像信号（Ｒ）に付加されるインパルス）除去用のツェナーダイオード３１２が接続されている。
【００６６】
信号線３０２ａと信号線３０２ｂとの間の点Ｇ１は、抵抗Ｒｇを介して接地されている。点Ｇ１と抵抗Ｒｇとの間には、ノイズ（外部から画像信号（Ｇ）に付加されるインパルス）除去用のツェナーダイオード３１３が接続されている。さらに点Ｇ１と抵抗Ｒｇとの間には、ノイズ除去用のコンデンサ３１５を介して３．３Ｖの電源が接続されている。
【００６７】
信号線３０３ａと信号線３０３ｂとの間の点Ｂ１には、抵抗Ｒｂ及びコンデンサ３０９の一端が接続されており、抵抗Ｒｂ及びコンデンサ３０９の他端は接地されている。抵抗Ｒｂ及びコンデンサ３０９の一端と点Ｂ１との間には、ノイズ（外部から画像信号（Ｂ）に付加されるインパルス）除去用のツェナーダイオード３１３が接続されている。
【００６８】
尚、ノイズ除去用のツェナーダイオードを３対の信号線のすべてに設けることも考えられるが、それぞれの画像信号の動作点の電圧にばらつきが生じると、ノイズに対する効果が半減するので、各ノイズ除去用のツェナーダイオードは、各対の信号線の中点に接続されている。
【００６９】
点Ｒ１は、抵抗３１０、抵抗Ｒｒｂ及び抵抗３１１を介して点Ｂ１に接続されている。点Ｇ１は、点Ｒ１及び点Ｇ１の電位を調整できるように抵抗Ｒｒｂに接続されている。
【００７０】
抵抗Ｒｒｂは画質調整ボリュームスイッチ３２０を構成している。ユーザは、この画質調整スイッチ３２０を操作し、点Ｒ１及び点Ｇ１の水平同期信号のコモンモード信号の電位を平衡にする。例えば、点Ｒ１及び点Ｇ１の水平同期信号のコモンモード信号の電位が平衡になる点は、ディスプレイ４０にグレー画面を表示させたときに、その画面上部にちらつきが発生しない位置である。このとき、画像信号（Ｇ）に多重化されている垂直同期信号（即ち、水平同期信号の逆電位の波形）が点Ｇ１から抵抗Ｒｒｂに入力されるので、画像信号（Ｒ）及び画像信号（Ｂ）の水平同期信号に混入されている垂直同期信号によるクロストークが打ち消される。
【００７１】
以上のように、図７の受信装置２０は、画像信号（Ｒ）及び画像信号（Ｂ）に多重化されている水平同期信号のコモンモード信号のレベルを揃え、同時に当該水平同期信号に混入されている垂直同期信号のクロストークを打ち消す画質調整ボリュームスイッチ３２０を備えているので、ディスプレイ４０で発生する画像の揺れ及びちらつき等を解消することができる。
【００７２】
図８は、シリアル通信用ドライバ２３を除いた受信装置２０の詳細なハードウエア構成の第２変形例を示す図である。
【００７３】
図８の構成は、図７の構成に、コンパレータ３２１、ＡＤコンバータ３２２、Ａ／Ｄ変換回路３２３、ＭＰＵ３２４及び自動調整ボタン３２５を追加している。これらの構成要素は、調整手段に相当する。なお、ここでは、画質調整ボリュームスイッチ３２０は、ＭＰＵ３２４からの制御信号に基づいて抵抗ＲｒｂのＲ側とＢ側の値を自動調整する電子スイッチで構成されている。
【００７４】
コンパレータ３２１は、垂直同期信号によるクロストークが混入している、点Ｒ１での水平同期信号のコモンモード信号の電位及び垂直同期信号によるクロストークが混入している、点Ｇ１での水平同期信号のコモンモード信号の電位の差分を検出する。ＡＤコンバータ３２２は、コンパレータ３２１からの出力をＡ／Ｄ変換する。Ａ／Ｄ変換回路３２３は、垂直同期信号によるクロストークが混入している、点Ｒ１での水平同期信号のコモンモード信号の電位及び垂直同期信号によるクロストークが混入している、点Ｇ１での水平同期信号のコモンモード信号の電位をＡ／Ｄ変換する。
【００７５】
ＭＰＵ３２４は、自動調整ボタン３２５が押下されたときに、垂直同期信号によるクロストークが混入している、点Ｒ１での水平同期信号のコモンモード信号の電位及び垂直同期信号によるクロストークが混入している、点Ｇ１での水平同期信号のコモンモード信号の電位の差分がゼロになるような制御信号を画質調整ボリュームスイッチ３２０に出力する。
【００７６】
例えば、図９に示すように、垂直同期信号によるクロストークが混入している、点Ｒ１での水平同期信号のコモンモード信号の電位が基準電位よりも３８０ｍｖ低下しており、垂直同期信号によるクロストークが混入している、点Ｂ１での水平同期信号のコモンモード信号の電位が基準電位よりも３９４ｍｖ低下しているとする。この場合、両電位の差分は１４ｍＶなので、ＭＰＵ３２４は、両電位が基準電位よりも３８７ｍｖ低くなるような制御信号を画質調整ボリュームスイッチ３２０に出力する。
【００７７】
画質調整ボリュームスイッチ３２０は、この制御信号に基づいて、抵抗ＲｒｂのＲ側とＢ側の値を調整する。このとき、画像信号（Ｇ）に多重化されている垂直同期信号（即ち、水平同期信号の逆電位の波形）が点Ｇ１から抵抗Ｒｒｂに入力されるので、画像信号（Ｒ）及び画像信号（Ｂ）の水平同期信号に混入されている垂直同期信号によるクロストークが打ち消される。
【００７８】
このように、図８の受信装置２０も、画像信号（Ｒ）及び画像信号（Ｂ）に多重化されている水平同期信号のコモンモード信号のレベルを揃え、同時に当該水平同期信号に混入されている垂直同期信号のクロストークを打ち消すので、ディスプレイ４０で発生する画像の揺れ及びちらつき等を解消し、きわめて鮮明な画像表示をすることができる。
【００７９】
尚、図７、８では、受信装置２０は、シリアル通信用ドライバ２３を図示していないが、図４のシリアル通信用ドライバ２３及び回路群を備えている。
【００８０】
以上説明したように、本実施の形態によれば、受信装置２０は、ＲＧＢの画像信号、垂直同期信号及び水平同期信号を送信すると共に一対の信号線上で差動信号を送受信する送信装置１０と接続可能であり、当該一対の信号線間の受信装置２０側の中点の電位が当該一対の信号線間の送信装置１０側の中点の電位と同一になるように、当該受信装置側の中点の電位を調整する調整回路２３３と、当該一対の信号線上に流れる差動信号の立ち上がり及び立ち下がりの速度を制御する制御回路２３２と、水平同期信号に生じる垂直同期信号によるクロストークを垂直同期信号を入力することによりキャンセルするキャンセル回路２５とを備えている。
【００８１】
よって、調整回路２３３及び制御回路２３２が画像信号の通信に影響を与えるＥＭＩノイズの発生を抑制し、キャンセル回路２５が残ったＥＭＩノイズにより水平同期信号に生じる垂直同期信号によるクロストークをキャンセルするので、画面内の画像の揺れ及びちらつき等を解消することができる。結果として、ディスプレイ４０は、きわめて鮮明な画像を表示することができる。
【００８２】
尚、上記実施の形態では、ノイズ除去用のダイオードとしてツェナーダイオード２６ａ〜２６ｃ又はツェナーダイオード３１３が使用されているが、ノイズ除去用のショットキーダイオードを使用してもよい。
【００８３】
尚、本発明は、上述した実施の形態に限定されるものではなく、その要旨を逸脱しない範囲内で種々変形して実施することが可能である。
【図面の簡単な説明】
【００８４】
【図１】本発明の実施の形態に係る信号伝送システムの構成を示すブロック図である。
【図２】送信装置１０の内部構成を示すブロック図である。
【図３】受信装置２０の内部構成を示すブロック図である。
【図４】シリアル通信用ドライバ１２とシリアル通信用ドライバ２３との接続状態を示す図である。
【図５】シリアル通信用ドライバ２３を除いた受信装置２０の詳細なハードウエア構成を示す図である。
【図６】（Ａ）は水平同期信号の出力波形の拡大例を示す図であり、（Ｂ）は垂直同期信号の出力波形の拡大例を示す図であり、（Ｃ）は水平同期信号の出力波形の縮小例を示す図であり、（Ｄ）は垂直同期信号によるクロストークが打ち消された後の水平同期信号の出力波形の縮小例を示す図である。
【図７】シリアル通信用ドライバ２３を除いた受信装置２０の詳細なハードウエア構成の第１変形例を示す図である。
【図８】シリアル通信用ドライバ２３を除いた受信装置２０の詳細なハードウエア構成の第２変形例を示す図である。
【図９】垂直同期信号によるクロストークが混入している点Ｒ１、点Ｇ１及び点Ｂ１の波形を示す図である。
【符号の説明】
【００８５】
１０  送信装置
１２，２３  シリアル通信用ドライバ
２５  キャンセル回路
２０  受信装置
３０  サーバ
４０  ディスプレイ
５０  キーボード／マウス
１００  ＬＡＮケーブル
１２１，２３１  終端抵抗
１２２，２３２  制御回路
１２３，２３３  調整回路
【図１】
2010062949.tif 000003
【図２】
2010062949.tif 000004
【図３】
2010062949.tif 000005
【図４】
2010062949.tif 000006
【図５】
2010062949.tif 000007
【図６】
2010062949.tif 000008
【図７】
2010062949.tif 000009
【図８】
2010062949.tif 000010
【図９】
2010062949.tif 000011